Podtech/llm-jp-corpus-v4-ja_patent huggingface dataset:
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
被写体からの入射光を結像する光学系と、該光学系により結像した前記入射光を電荷に変換しかつ所定の電荷蓄積時間の後に前記電荷を画像信号として出力する撮像素子と、前記光学系と前記撮像素子から成る撮影光学系を電動手段によりパン及びチルトさせる雲台装置と、該雲台装置への電源供給をする第１電源供給手段と、前記撮影光学系に設けた撮影絞りと、該撮影絞りを電動手段により駆動し供給電流が所定量よりも小さい場合には前記撮影絞りを所定の開口量に固定する絞り制御手段と、該絞り制御手段への電源を供給する第２電源供給手段と、前記第１電源供給手段による供給電流の変更に応じて前記第２電源供給手段による供給電流を変更する制御手段とを有することを特徴とする撮影装置。
【請求項２】
前記撮影光学系に電動手段により挿入及び離脱する減光部材と、前記第２電源供給手段による供給電流の変化に連動して前記減光部材を駆動する減光部材駆動手段とを有することを特徴とする請求項１に記載の撮影装置。
【請求項３】
前記撮像素子の画像信号の増減を判定し、該判定に基づいて前記入射光の増減を判定する判定手段を有し、前記減光部材駆動手段は前記入射光の増減に応じて前記減光部材を駆動することを特徴とする請求項２に記載の撮影装置。
【請求項４】
被写体からの入射光を結像させる光学系と、該光学系により結像した前記入射光を電荷に変換しかつ所定の電荷蓄積時間の後に前記電荷を画像信号として出力する撮像素子と、前記光学系と前記撮像素子から成る撮影光学系を電動手段によりパン及びチルトさせる雲台装置と、該雲台装置への電源供給をする第１電源供給手段と、前記撮影光学系に設けたフォーカスレンズ群と、該フォーカスレンズ群を電動手段によって移動するフォーカス駆動手段と、該フォーカス駆動手段への電源を供給する第２電源供給手段と、前記第１電源供給手段による供給電流の変更に応じて前記フォーカスレンズ群を所定の位置に移動させた後に、前記第２電源供給手段による供給電流を変更する制御手段とを有することを特徴とする撮影装置。
【請求項５】
前記撮影光学系に設けた撮影絞りと、該撮影絞りを電動手段によって駆動し前記第２電源供給手段からの供給電流が所定量よりも小さい場合に前記撮影絞りを所定の開口量に固定する絞り制御手段とを有することを特徴とする請求項４に記載の撮影装置。
【請求項６】
前記撮像素子の画像信号の増減を判定し、該判定に基づいて前記入射光の増減を判定する判定手段と、前記撮像素子の画像信号の増減に応じて前記画像信号を増幅する増幅手段とを有し、前記制御手段は、前記第２電源供給手段からの供給電流の変更が行われる場合に前記増幅手段を動作させることを特徴とする請求項５に記載の撮影装置。
【請求項７】
前記撮像素子の画像信号の増減を判定し、該判定に基づいて前記入射光の増減を判定する判定手段と、前記入射光の増減に応じて前記撮像素子の電荷蓄積時間を制御するタイミングジェネレータとを有し、前記制御手段は、前記第２電源供給手段による電源供給が禁止されている場合に前記タイミングジェネレータを動作させることを特徴とする請求項１又は４に記載の撮影装置。
【請求項８】
前記第２電源供給手段による供給電流の変更に連動して、前記撮影絞りを駆動する機構の動きを所定の開口量の位置で停止させるストッパ手段を有することを特徴とする請求項１又は５に記載の撮影装置。
【請求項９】
前記第２電源供給手段による電源供給が同時に行われることを禁止する制御手段を有することを特徴とする請求項１又は４に記載の撮影装置。
【請求項１０】
前記撮影光学系の焦点距離を検出する焦点距離の検出手段と、前記焦点距離を基に前記フォーカスレンズ群の所定の位置を決定する位置決定手段とを有することを特徴とする請求項４に記載の撮影装置。
【手続補正２】
【補正対象書類名】明細書
【補正対象項目名】００１６
【補正方法】変更
【補正の内容】
【００１６】
上記目的を達成するための本発明に係る撮影装置の技術的特徴は、被写体からの入射光を結像する光学系と、該光学系により結像した前記入射光を電荷に変換しかつ所定の電荷蓄積時間の後に前記電荷を画像信号として出力する撮像素子と、前記光学系と前記撮像素子から成る撮影光学系を電動手段によりパン及びチルトさせる雲台装置と、該雲台装置への電源供給をする第１電源供給手段と、前記撮影光学系に設けた撮影絞りと、該撮影絞りを電動手段により駆動し供給電流が所定量よりも小さい場合には前記撮影絞りを所定の開口量に固定する絞り制御手段と、該絞り制御手段への電源を供給する第２電源供給手段と、前記第１電源供給手段による供給電流の変更に応じて前記第２電源供給手段による供給電流を変更する制御手段とを有することにある。
【手続補正３】
【補正対象書類名】明細書
【補正対象項目名】００１７
【補正方法】変更
【補正の内容】
【００１７】
また、本発明に係る撮影装置の技術的特徴は、被写体からの入射光を結像させる光学系と、該光学系により結像した前記入射光を電荷に変換しかつ所定の電荷蓄積時間の後に前記電荷を画像信号として出力する撮像素子と、前記光学系と前記撮像素子から成る撮影光学系を電動手段によりパン及びチルトさせる雲台装置と、該雲台装置への電源供給をする第１電源供給手段と、前記撮影光学系に設けたフォーカスレンズ群と、該フォーカスレンズ群を電動手段によって移動するフォーカス駆動手段と、該フォーカス駆動手段への電源を供給する第２電源供給手段と、前記第１電源供給手段による供給電流の変更に応じて前記フォーカスレンズ群を所定の位置に移動させた後に、前記第２電源供給手段による供給電流を変更する制御手段とを有することにある。
【手続補正４】
【補正対象書類名】明細書
【補正対象項目名】００２０
【補正方法】変更
【補正の内容】
【００２０】
更に、パン、チルト中に絞りのフォーカス駆動手段への電源供給を制限してＡＦを停止させて、フォーカスの補完手段として絞り機構を小開口で固定すると、Ｆナンバを大きくして被写界深度が深くなる所謂パンフォーカス状態とすることで、ＡＦ停止後でもフォーカスの合った画像の撮影が可能となる。
【手続補正５】
【補正対象書類名】明細書
【補正対象項目名】００３５
【補正方法】変更
【補正の内容】
【００３５】
このような構成の撮影装置において、全ての画像処理制御は画像信号処理制御手段３９によって統合的に動作制御が行われる。ＤＳＰ３６で生成される輝度信号のモニタ結果に基づいて、被写体の明るさを判定し、撮影画像の明るさを調整するために必要に応じてアナログ信号処理手段３４におけるゲイン調整を行う。また、タイミングジェネレータ４０の制御により固体撮像素子２７の電荷蓄積時間の制御の変更や、後述する装置制御手段を介して絞り駆動手段２９に所定の入力を行うことで、絞り駆動手段２９を駆動して撮影絞り２３の開口量の調整を行う。更に、画像信号処理制御手段３９は装置制御手段３８からの動作変更命令を受けて、その制御の変更を行う。
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
永久磁石によりバイアス磁場を印加された軟磁性フェライトと、該軟磁性フェライトにマイクロ波を誘導するための入出力端子を有する中心導体および接地導体から成る分布定数型非可逆素子であって、
該軟磁性フェライトの飽和磁化4πMs、該軟磁性フェライト内部のバイアス磁場Hin、及び磁気回転比γにより、式（１）及び式（２）でそれぞれ定義される周波数f1およびf2を用いて、
その非可逆動作周波数fnrが式（３）の関係を満たすように構成されたことを特徴とする分布定数型非可逆素子。
【数１】
2006262260.tif 000001
【数２】
2006262260.tif 000002
f1 < fnr < f2            （３）
【請求項２】
永久磁石によりバイアス磁場を印加された軟磁性フェライトと、該軟磁性フェライトにマイクロ波を誘導するための入出力端子を有する中心導体および接地導体から成り、非可逆動作周波数fnrを有する分布定数型非可逆素子であって、
該軟磁性フェライトの飽和磁化4πMsにより、式（４）及び式（５）で定義される磁場H1および磁場H2を用いて、該軟磁性フェライト内部のバイアス磁場Hinが式（６）の関係を満たすように構成されたことを特徴とする分布定数型非可逆素子。
【数３】
2006262260.tif 000003
【数４】
2006262260.tif 000004
H2 < Hin < H1            （６）
【請求項３】
前記軟磁性フェライトの磁気共鳴半値幅が790 A/m (10 Oe)以下である請求項１または２に記載の分布定数型非可逆素子。
【請求項４】
前記軟磁性フェライトが液相エピタキシャル法、フラックス法またはＦＺ法により作製したガーネット単結晶である請求項１〜３いずれか１つに記載の分布定数型非可逆素子。
【請求項５】
請求項４に記載の分布定数型非可逆素子に使用される分布定数型非可逆素子用ガーネット単結晶。
【手続補正２】
【補正対象書類名】明細書
【補正対象項目名】００１３
【補正方法】変更
【補正の内容】
【００１３】
【数４】
2006262260.tif 000005
【手続補正３】
【補正対象書類名】明細書
【補正対象項目名】００４８
【補正方法】変更
【補正の内容】
【００４８】
【数１６】
2006262260.tif 000006
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
動力の出力に用いる出力の異なる複数の電動機を備える駆動装置であって、
前記複数の電動機の少なくとも二つの出力の異なる電動機は、同一の材料で同一構造として同一径に形成された固定子用部材を二つの異なる積層数だけ複数積層してなる固定子と、同一の材料で同一構造として同一径に形成された回転子用部材を二つの異なる積層数だけ複数積層してなる回転子とにより構成されてなる
ことを特徴とする駆動装置。
【請求項２】
前記二つの出力の異なる電動機を一体のケースに収納してなる請求項１記載の駆動装置。
【請求項３】
走行用の動力の出力に用いる駆動装置として請求項１または２記載の駆動装置を搭載する車両。
【請求項４】
前記二つの出力の異なる電動機は、第１の車軸への動力の出力に用いる第１電動機と前記第１の車軸とは異なる第２の車軸への動力の出力に用いる第２電動機である請求項３記載の車両。
【請求項５】
請求項１記載の駆動装置であって、
動力を入力可能な入力軸と動力を出力する駆動軸と回転軸との３軸に接続され、該３軸のうちのいずれか２軸に入出力される動力に基づいて残余の軸に動力を出力する３軸式動力入出力手段を備え、
前記二つの出力の異なる電動機は、前記回転軸に動力を入出力可能な第１電動機と前記駆動軸に動力を入出力可能な第２電動機である、
駆動装置。
【請求項６】
前記３軸式動力入出力手段を前記第１電動機と前記第２電動機との間に配置すると共に前記３軸式動力入出力手段と前記第１電動機と前記第２電動機とを一体のケースに収納してなる請求項５記載の駆動装置。
【請求項７】
請求項６記載の駆動装置であって、
前記第２電動機は変速機を介して前記駆動軸に連結されてなり、
前記変速機は前記３軸式動力入出力手段と前記第２電動機との間に配置されてなる
駆動装置。
【請求項８】
内燃機関と、
請求項５ないし７いずれか記載の駆動装置と、
を備え、
前記内燃機関の出力軸が前記入力軸に連結されてなり、
車軸が前記駆動軸に連結されてなる
車両。
【請求項９】
前記二つの出力の異なる電動機を構成する固定子用部材と回転子用部材とを複数積層することにより構成されてなる第３電動機を前記車軸とは異なる車軸への動力の出力に用いる電動機として備える請求項８記載の車両。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
画像記憶手段に記憶された医用画像を読み出し、読影画面上に当該医用画像を表示する表示手段を備えた医用画像表示装置において、
前記読影画面に表示された医用画像に関係する他の医用画像の一覧表示を指示するための操作手段と、
前記操作手段により一覧表示が指示操作されると、前記読影画面に表示された医用画像に関係する他の医用画像を前記画像記憶手段から取得し、当該取得された医用画像を示す情報の一覧を前記指示操作がある間だけ読影画面上に表示させる表示制御手段と、
を備えることを特徴とする医用画像表示装置。
【請求項２】
前記表示制御手段は、前記他の医用画像を示す情報の一覧表示を行う際に、当該他の医用画像の内容を示す情報を項目毎に表示させることを特徴とする請求項１に記載の医用画像表示装置。
【請求項３】
前記操作手段により前記一覧表示から表示対象の医用画像を選択操作可能であるとともに、当該選択された医用画像の前記読影画面上での表示位置を指定操作可能であり、
前記表示制御手段は、前記選択された医用画像を前記読影画面の前記指定された位置に表示させることを特徴とする請求項１又は２に記載の医用画像表示装置。
【請求項４】
前記表示制御手段は、前記一覧表示において、前記読影画面に表示中の医用画像については表示済みであることを識別可能に表示させることを特徴とする請求項３に記載の医用画像表示装置。
【請求項５】
前記他の医用画像は、同一検査におけるシリーズ画像又は関連検査における関連検査画像であることを特徴とする請求項１〜４の何れか一項に記載の医用画像表示装置。
【請求項６】
コンピュータを、
請求項１〜５の何れか一項に記載の医用画像表示装置として機能させるためのプログラム。
【手続補正２】
【補正対象書類名】明細書
【補正対象項目名】発明の名称
【補正方法】変更
【補正の内容】
【発明の名称】医用画像表示装置及びプログラム
【手続補正３】
【補正対象書類名】明細書
【補正対象項目名】０００１
【補正方法】変更
【補正の内容】
【０００１】
本発明は、医用画像を表示する医用画像表示装置及びプログラムに関する。
【手続補正４】
【補正対象書類名】明細書
【補正対象項目名】０００７
【補正方法】変更
【補正の内容】
【０００７】
本発明の課題は、表示中の医用画像に関係する他の医用画像を簡単な操作で容易に表示させることができる医用画像表示装置及びプログラムを提供することである。
【手続補正５】
【補正対象書類名】明細書
【補正対象項目名】００１２
【補正方法】変更
【補正の内容】
【００１２】
請求項５に記載の発明は、請求項１〜４の何れか一項に記載の医用画像表示装置において、
前記他の医用画像は、同一検査におけるシリーズ画像又は関連検査における関連検査画像であることを特徴とする。
請求項６に記載の発明は、コンピュータを、
請求項１〜５の何れか一項に記載の医用画像表示装置として機能させるためのプログラムであることを特徴とする。
【手続補正６】
【補正対象書類名】明細書
【補正対象項目名】００１３
【補正方法】変更
【補正の内容】
【００１３】
請求項１、６に記載の発明によれば、医師は表示中の医用画像に関係する他の医用画像を示す情報の一覧から、表示させたい他の医用画像の情報を容易に把握することができる。よって、その情報を元に他の医用画像を容易に表示させることが可能となる。また、一覧表示の指示操作という簡単な操作のみで他の医用画像を示す情報を一覧表示させることができるとともに、指示操作している間だけ一覧表示されるので、一覧表示を終了させる操作を行う必要がなく、操作性が良い。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
発射された遊技球が案内される遊技領域と、
前記遊技領域に設けられ、遊技球が入球可能な入球手段と、
前記入球手段への遊技球の入球を検出する入球検出手段と、
少なくとも前記入球手段への遊技球の入球に基づき賞球として所定個数の遊技球を払出可能な払出手段と、
前記払出手段を駆動制御する払出制御手段と、
前記払出手段へ遊技球を案内する案内手段と、
前記払出手段より払出された遊技球が導出される球貯留手段とを備えた遊技機において、
前記案内手段の所定部位において遊技球の有無を検出可能な球有無検出手段と、
遊技機背面側において手動操作可能に設けられた特定操作手段とを備え、
前記払出制御手段は、
少なくとも前記球有無検出手段により遊技球が検出されない球切れ状態において、前記払出手段の駆動を禁止するよう構成されるとともに、
前記球切れ状態において、前記入球手段へ遊技球が入球すること及び前記特定操作手段が操作されることを条件に前記払出手段を駆動させ、当該払出手段から遊技球を払出す球抜き処理を実行可能に構成されていることを特徴とする遊技機。
【請求項２】
発射された遊技球が案内される遊技領域と、
前記遊技領域に設けられ、遊技球が入球可能な入球手段と、
前記入球手段への遊技球の入球を検出する入球検出手段と、
少なくとも前記入球手段への遊技球の入球に基づき賞球として所定個数の遊技球を払出可能な払出手段と、
前記払出手段を駆動制御する払出制御手段と、
前記払出手段へ遊技球を案内する案内手段と、
前記払出手段より払出された遊技球が導出される球貯留手段とを備えた遊技機において、
前記案内手段の所定部位において遊技球の有無を検出可能な球有無検出手段と、
遊技機背面側において手動操作可能に設けられた特定操作手段とを備え、
前記払出制御手段は、
少なくとも前記入球手段への遊技球の入球に基づき所定個数の遊技球を払出す旨の払出設定を行う払出設定手段と、
少なくとも前記球有無検出手段により遊技球が検出されない球切れ状態において、前記払出手段の駆動を禁止する払出禁止手段と、
前記球切れ状態において、前記払出設定がなされること及び前記特定操作手段が操作されることを条件に前記払出手段の駆動禁止を無効化する禁止無効化手段とを備え、
前記球切れ状態において前記払出設定に基づいて前記払出手段を駆動させ、当該払出手段から遊技球を払出す球抜き処理を実行可能に構成されていることを特徴とする遊技機。
【請求項３】
発射された遊技球が案内される遊技領域と、
前記遊技領域に設けられ、遊技球が入球可能な入球手段と、
前記入球手段への遊技球の入球を検出する入球検出手段と、
少なくとも前記入球手段への遊技球の入球に基づき賞球として所定個数の遊技球を払出可能な払出手段と、
前記払出手段を駆動制御する払出制御手段と、
前記払出手段へ遊技球を案内する案内手段と、
前記払出手段より払出された遊技球が導出される球貯留手段とを備えた遊技機において、
前記案内手段の所定部位において遊技球の有無を検出可能な球有無検出手段と、
遊技機背面側において手動操作可能に設けられた特定操作手段とを備え、
前記払出制御手段は、
少なくとも前記入球手段への遊技球の入球に基づき所定個数の遊技球を払出す旨の払出設定を行う払出設定手段と、
少なくとも前記球有無検出手段により遊技球が検出されない球切れ状態において、前記払出手段の駆動を禁止する払出禁止手段と、
前記球切れ状態かつ前記払出設定がなされた状態である球抜き可能状態であるか否かを判別する判別手段と、
前記球抜き可能状態において前記特定操作手段が操作されることを条件に前記払出禁止手段による前記払出手段の駆動禁止を無効化する禁止無効化手段とを備え、
前記球切れ状態において前記払出設定に基づいて前記払出手段を駆動させ、当該払出手段から遊技球を払出す球抜き処理を実行可能に構成されていることを特徴とする遊技機。
【請求項４】
発射された遊技球が案内される遊技領域と、
前記遊技領域に設けられ、遊技球が入球可能な入球手段と、
前記入球手段への遊技球の入球を検出する入球検出手段と、
少なくとも前記入球手段への遊技球の入球に基づき賞球として所定個数の遊技球を払出可能な払出手段と、
前記払出手段を駆動制御する払出制御手段と、
前記払出手段へ遊技球を案内する案内手段と、
前記払出手段より払出された遊技球が導出される球貯留手段とを備えた遊技機において、
前記案内手段の所定部位において遊技球の有無を検出可能な球有無検出手段と、
遊技機背面側において手動操作可能に設けられた特定操作手段とを備え、
前記払出制御手段は、
少なくとも前記入球手段への遊技球の入球に基づき所定個数の遊技球を払出す旨の払出設定を行う払出設定手段と、
少なくとも前記球有無検出手段により遊技球が検出されない球切れ状態を含むエラー状態の発生時において前記払出手段の駆動を禁止する払出禁止手段と、
前記球切れ状態かつ前記払出設定がなされた状態である球抜き可能状態であるか否かを判別する判別手段と、
前記エラー状態が回復すること、又は、前記球抜き可能状態において前記特定操作手段が操作されることを条件に、前記払出禁止手段による前記払出手段の駆動禁止を無効化する禁止無効化手段とを備え、
前記球切れ状態において前記払出設定に基づいて前記払出手段を駆動させ、当該払出手段から遊技球を払出す球抜き処理を実行可能に構成されていることを特徴とする遊技機。
【請求項５】
前記案内手段は、前記球有無検出手段より下流側において、遊技機外部へ遊技球を導出可能な球抜き機構を備えていることを特徴とする請求項１乃至４のいずれか一項に記載の遊技機。
【請求項６】
複数の入球手段及び入球検出手段を備え、
前記複数の入球手段のうち特定の入球手段へ遊技球が入球した場合において、前記払出制御手段は前記球抜き処理を行うよう構成されていることを特徴とする請求項１乃至５のいずれか一項に記載の遊技機。
【請求項７】
前記特定の入球手段は、所定条件の成立に基づき閉状態から開状態に変化する可変入球手段であることを特徴とする請求項６に記載の遊技機。
【手続補正書】
【提出日】平成20年3月14日(2008.3.14)
【手続補正１】
【補正対象書類名】特許請求の範囲
【補正対象項目名】請求項１
【補正方法】変更
【補正の内容】
【請求項１】
画像表示手段と、
前記画像表示手段に情報を表示させる画像表示制御手段と、
使用者の視線方向の実視野からの光を透過するとともに、前記画像表示手段に表示さ
れた情報を光学的に虚像として、前記実視野中に重畳的に表示する半透過光学素子  
と、
前記実視野中における皮膚を検出する皮膚検出手段と
を備え、
前記画像表示制御手段は、前記実視野中における前記皮膚の上に、仮想ペットが虚像
として現れるように、前記仮想ペットの画像を前記画像表示手段に表示させる情報端    末装置。
【手続補正２】
【補正対象書類名】特許請求の範囲
【補正対象項目名】請求項３
【補正方法】変更
【補正の内容】
【請求項３】
前記皮膚検出手段は、
前記実視野中の画像を取得する画像取得手段と、
取得された前記画像から予め登録されている色彩の部分を抽出する抽出する抽出手段    と、
抽出された前記部分を皮膚として検出する検出手段と
を具備する請求項１又は請求項２に記載の情報端末装置。
【手続補正３】
【補正対象書類名】特許請求の範囲
【補正対象項目名】請求項４
【補正方法】変更
【補正の内容】
【請求項４】
前記皮膚検出手段は、
前記実視野中の画像を取得する画像取得手段と、
取得された前記画像から人体の形体的特徴部分を抽出する特徴部分抽出手段と、
前記特徴部分抽出手段により抽出された前記形体的特徴部分が予め登録されている形    体と一致した場合に、その一致部分を皮膚として検出する検出手段と
を具備する請求項１又は請求項２に記載の情報端末装置。
【手続補正４】
【補正対象書類名】明細書
【補正対象項目名】０００５
【補正方法】変更
【補正の内容】
【０００５】
上記目的を達成するために、本発明は、以下の手段を提供する。
本発明は、画像表示手段と、前記画像表示手段に情報を表示させる画像表示制御手段
と、使用者の視線方向の実視野からの光を透過するとともに、前記画像表示手段に表
示された情報を光学的に虚像として、前記実視野中に重畳的に表示する半透過光学素    子と、前記実視野中における皮膚を検出する皮膚検出手段とを備え、前記画像表示制    御手段は、前記実視野中における前記皮膚の上に、仮想ペットが虚像として現れるよ    うに、前記仮想ペットの画像を前記画像表示手段に表示させる情報端末装置を提供す    る。
【手続補正５】
【補正対象書類名】明細書
【補正対象項目名】００１１
【補正方法】変更
【補正の内容】
【００１１】
上記記載の情報端末装置において、前記皮膚検出手段は、前記実視野内の画像を取    得する画像取得手段と、取得された前記画像から人体の形体的特徴部分を抽出する特    徴部分抽出手段と、前記特徴部分抽出手段により抽出された前記形体的特徴部分が予    め登録されている形体と一致した場合に、その一致部分を皮膚として検出する検出手    段とを具備すると良い。
【手続補正書】
【提出日】平成20年3月5日(2008.3.5)
【手続補正１】
【補正対象書類名】明細書
【補正対象項目名】０００２
【補正方法】変更
【補正の内容】
【０００２】調理済スパゲティ等を定量分割して、容器等に入れるのに、従来の容積式機械等で分割すると、寸断されると共に定量性が出ない。品物と品物との間に空気を沢山ふくみ、ソースが極少のため、ポンピング等の自吸力で吸引はできない。又供給側からスクリュウ羽根等で押し込むと、寸断され美味感を損ない分割が不可能である。また、ホッパー等に入れて、充填機で分割すると。ソースが先に走り麺のみが残り均一な味付けにならない。又、粉体や顆粒状態の定量分割は、スクリューオーガ式が多く用いられているが、出口にシール面が無く、切れが悪く、定量性に欠ける。そして、スクリューオーガ式の場合は、粉体中の空気を圧縮して、微細化しただけで、完全脱気に成らない。蒟蒻粉の場合は、高分子の為、分子同士の摩擦により静電気が生じる。飛び粉が出来、粉体等の飛散でシールミスの起因になる。又粉体等は格段の生産量が多く、顆粒状の商品は、高価格の物が多い。高騰し読く穀物等の材料費でロス金額が大きい。当該特許３５８１８６０号の非流動体の定量分割機は、粉体又は顆粒状態の物を定量分割すると、シリンダの回転摺動受け部に、粉体等が入り、磨耗が生じる。
【手続補正２】
【補正対象書類名】明細書
【補正対象項目名】０００７
【補正方法】変更
【補正の内容】
【０００７】粉体や顆粒状の場合は、飛散の噛み込みによる、シールミスの解決が必要不可欠である。粉体等の乱舞による、環境の改善が必要不可欠である。蒟蒻粉等の場合は、高分子の為、分子同士の摩擦により静電界や損傷を無くす。飛び粉が出来、粉体等の飛散でシールミスを無くす。そこで、真空脱気及び保形で、飛散が無くなり、シールミスを無くす。又粉体等は格段の生産量が多く、顆粒状の商品は、高価格の物が多い。高騰し読く穀物等の材料費でロスを無くす事が必要不可欠である。又、長尺品物の食品の場合、機械等に掛けると寸断され屑状態の物が多量に出来、商品価値を低下ならしめた。特許第３５８１８６０号の非流動体の定量分割機で、粉体等を定量分割した場合、シリンダの回転摺動受け部に、粉体等が入る。そこで磨耗を無くすのが、必要不可欠である。
【手続補正３】
【補正対象書類名】明細書
【補正対象項目名】００１６
【補正方法】変更
【補正の内容】
【００１６】上記のように構成されたケーシングの排出穴から真空ポンプ等で品物を吸引し、当該の穴から余分な空気や水等を排出した。真空吸引のため粘着性の強い物から逆に、粘着性の無いパサパサな物までも合理的に分割、形成が容易となった。粉体又は顆粒状態の物を、当発明者の取得第３５８１８６０号の、非流動体の定量分割機で分割充填する。そして、粉体や顆粒状態の物は、真空脱気及び保形で、飛散が無くなり、シールミスを無くす。粉体等の乱舞による、環境の改善をする。粉体や顆粒状態物中の空気を、真空で完全脱気する為、密度が一定になり、定量分割精度を良くする。シリンダ等の回転摺動受け部の、円周隔室等へ、外部から、円周隔室に導通する複数のシール穴を設けた。外部から空気を入れ、他の穴から出す粉体等のシール手段の機構にした。
【手続補正４】
【補正対象書類名】明細書
【補正対象項目名】００２６
【補正方法】変更
【補正の内容】
【００２６】当発明で、極狭小面積供給部分の強制供給装置等を設けた為、ホッパー内周に付着せず、品物の長伸びが解消され、切れ麺、短寸な切断の本数を少なくし、長尺物食品等の付加価値が上がった。又、粉体や顆粒状態の物は、真空脱気及び保形で、飛散が無くなり、シールミスが無くなる。粉体等の乱舞による、環境の改善になる。粉体や顆粒状態の中の空気を完全脱気する為、密度が一定になり、定量分割精度が良くなる。蒟蒻粉は、高分子の為、分子同士の摩擦により静電気や損傷を無くした。飛び粉が出来、粉体等の飛散でシールミスが無くなる。回転摺動受け部の、円周隔室等へ、外部から空気を入れ、他に穴から出す粉体等のシール手段の機構にした為、シリンダの回転摺動受け部の、粉体による磨耗が無くなる。そくで、高価な原料費のロスが無くなり、コストダウンになる。
【手続補正５】
【補正対象書類名】明細書
【補正対象項目名】符号の説明
【補正方法】変更
【補正の内容】
【符号の説明】
１、ケーシング  ２、シリンダ室  ３、シリンダ  ４、ピストン  ５、ピストン穴  ６、スライダ穴  ７、スライダ  ８、偏心穴  ９、偏心軸  １０、長穴  １１、カバー  １２、品物供給口  １３、吐出口  １４、排出穴  １５、仕切り板  １６、ホッパー  １７、小面積吸引口  １８、ホッパーガイド  １９、Ｏリング  ２０、側壁  ２１、間隙  ２２、シリンダ外周  ２４、メタル受け部  ２５、ブラット  ２６、セットボルト  ２７、駆動軸  ２８、ベアリング  ２９、極狭小面積供給部  ３０、強制供給機構  ３１、駆動装置  ３２、シュウト供給部  Ａ、受容体積室  Ｂ，受容体積室  ３３、円周隔室  ３４、回転摺動受け部  ３５、シール穴。
【手続補正６】
【補正対象書類名】図面
【補正対象項目名】図７
【補正方法】変更
【補正の内容】
【図７】
2006262885.tif 000001
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
光電変換により電荷を生成して蓄積するための複数の光電変換部と、
少なくとも２つの光電変換部に共通して設けられた、電荷を増幅するための一の増幅部と、
第１の光電変換部に蓄積された電荷を前記増幅部に転送するための第１の転送部と、
第１の固定電位障壁を介して前記第１の光電変換部からあふれ出る電荷を蓄積するための第１の電荷蓄積部と、
前記第１の電荷蓄積部に蓄積された電荷を前記増幅部に転送するための第２の転送部と、
第２の光電変換部に蓄積された電荷を前記増幅部に転送するための第３の転送部と、
第２の固定電位障壁を介して前記第２の光電変換部からあふれ出る電荷を蓄積するための第２の電荷蓄積部と、
前記第２の電荷蓄積部に蓄積された電荷を前記増幅部に転送するための第４の転送部とを有することを特徴とする固体撮像装置。
【請求項２】
前記増幅部を複数有することを特徴とする請求項１記載の固体撮像装置。
【請求項３】
前記第１及び第２の固定電位障壁は、周囲に対して半導体不純物濃度差が異なる領域として形成されることを特徴とする請求項１又は２記載の固体撮像装置。
【請求項４】
前記第１の光電変換部に電荷を蓄積している期間では、前記第１の固定電位障壁は前記第１の転送部の電位障壁よりも低く、
前記第２の光電変換部に電荷を蓄積している期間では、前記第２の固定電位障壁は前記第３の転送部の電位障壁よりも低いことを特徴とする請求項１〜３のいずれか１項に記載の固体撮像装置。
【請求項５】
さらに、前記第１〜第４の転送部に接続され、前記第１及び第２の光電変換部並びに前記第１及び第２の電荷蓄積部の蓄積電荷をリセットするための一のリセット部を有することを特徴とする請求項１〜４のいずれか１項に記載の固体撮像装置。
【請求項６】
さらに、前記第１の光電変換部及び前記第１の電荷蓄積部に蓄積された電荷が前記増幅部により増幅された電荷に応じて第１の画素信号を生成し、前記第２の光電変換部及び前記第２の電荷蓄積部に蓄積された電荷が前記増幅部により増幅された電荷に応じて第２の画素信号を生成するための画素信号生成部を有することを特徴とする請求項１〜５のいずれか１項に記載の固体撮像装置。
【請求項７】
前記第１の固定電位障壁は前記第１の光電変換部と前記第１の電荷蓄積部との間に配され、前記第２の固定電位障壁は前記第２の光電変換部と前記第２の電荷蓄積部との間に配されたことを特徴とする請求項１〜６のいずれか１項に記載の固体撮像装置。
【請求項８】
請求項１〜７のいずれか１項に記載の固体撮像装置と、
光学像を前記固体撮像装置に結像させるためのレンズと、
前記レンズを通る光量を可変するための絞りと
を有することを特徴とするカメラ。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
画像データを送信する画像処理装置であって、
前記画像データを暗号化するためのパスワードを生成するパスワード生成手段と、
前記パスワード生成手段により生成されたパスワードを用いて前記画像データを暗号化する暗号化手段と、
前記暗号化手段によって暗号化された画像データを送信する送信手段と、
前記送信手段によって送信された画像データを復号化するための前記パスワード生成手段により生成されたパスワードを前記送信手段による画像データの送信処理の実行に応じて印刷する印刷手段と
を有することを特徴とする画像処理装置。
【請求項２】
原稿を読み取って画像データを生成する画像入力手段をさらに有し、
前記暗号化手段は、前記画像入力手段によって生成された画像データを暗号化することを特徴とする請求項１記載の画像処理装置。
【請求項３】
画像データを送信する画像処理装置であって、
前記画像データを暗号化するためのパスワードを生成するパスワード生成手段と、
前記パスワード生成手段により生成されたパスワードを用いて前記画像データを暗号化する暗号化手段と、
前記暗号化手段によって暗号化された画像データを送信する送信手段と、
前記送信手段によって送信された画像データの送信履歴を生成する履歴生成手段と、
ユーザの認証を行う認証手段と、
前記認証手段による認証が成功した場合に、前記履歴生成手段によって生成された送信履歴に含まれる前記送信手段によって送信された画像データを復号化するための前記パスワード生成手段により生成されたパスワードを表示画面に表示する表示手段と
を有することを特徴とする画像処理装置。
【請求項４】
原稿を読み取って画像データを生成する画像入力手段をさらに有し、
前記暗号化手段は、前記画像入力手段により生成された画像データを暗号化することを特徴とする請求項３記載の画像処理装置。
【請求項５】
認証情報を入力する入力手段をさらに有し、
前記認証手段は、前記入力手段で入力された認証情報が予め登録されている認証情報と一致しているときに認証が成功したと判断することを特徴とする請求項３又は４記載の画像処理装置。
【請求項６】
外部記憶装置から鍵情報を取得する取得手段をさらに有し、
前記認証手段は、前記取得手段により取得された鍵情報が前記画像処理装置に登録されている鍵情報と一致しているときに認証が成功したと判断することを特徴とする請求項３又は４記載の画像処理装置。
【請求項７】
画像データを暗号化するためのパスワードを生成し、
前記生成されたパスワードを用いて画像データを暗号化し、
前記暗号化された画像データを送信し、
前記送信された画像データを復号化するための前記生成されたパスワードを前記画像データの送信処理の実行に応じて印刷することを特徴とする画像処理装置の制御方法。
【請求項８】
画像データを暗号化するためのパスワードを生成し、
前記生成されたパスワードを用いて画像データを暗号化し、
前記暗号化された画像データを送信し、
前記送信された画像データの送信履歴を生成し、
前記生成された送信履歴を表示する表示画面からパスワードの確認が要求された場合に認証を行い、
前記認証が成功すると、前記送信された画像データを復号化するための前記生成されたパスワードを前記表示画面に表示することを特徴とする画像処理装置の制御方法。
【手続補正２】
【補正対象書類名】明細書
【補正対象項目名】発明の名称
【補正方法】変更
【補正の内容】
【発明の名称】画像処理装置及び画像処理装置の制御方法
【手続補正３】
【補正対象書類名】明細書
【補正対象項目名】０００７
【補正方法】変更
【補正の内容】
【０００７】
本願請求項１に係る発明は、画像データを送信する画像処理装置であって、前記画像データを暗号化するためのパスワードを生成するパスワード生成手段と、前記パスワード生成手段により生成されたパスワードを用いて前記画像データを暗号化する暗号化手段と、前記暗号化手段によって暗号化された画像データを送信する送信手段と、前記送信手段によって送信された画像データを復号化するための前記パスワード生成手段により生成されたパスワードを前記送信手段による画像データの送信処理の実行に応じて印刷する印刷手段とを有することを特徴とする。
【手続補正４】
【補正対象書類名】明細書
【補正対象項目名】０００８
【補正方法】変更
【補正の内容】
【０００８】
また、本願請求項３に係る発明は、画像データを送信する画像処理装置であって、前記画像データを暗号化するためのパスワードを生成するパスワード生成手段と、前記パスワード生成手段により生成されたパスワードを用いて前記画像データを暗号化する暗号化手段と、前記暗号化手段によって暗号化された画像データを送信する送信手段と、前記送信手段によって送信された画像データの送信履歴を生成する履歴生成手段と、ユーザの認証を行う認証手段と、前記認証手段による認証が成功した場合に、前記履歴生成手段によって生成された送信履歴に含まれる前記送信手段によって送信された画像データを復号化するための前記パスワード生成手段により生成されたパスワードを表示画面に表示する表示手段とを有することを特徴とする。
【手続補正５】
【補正対象書類名】明細書
【補正対象項目名】０００９
【補正方法】変更
【補正の内容】
【０００９】
また、本願請求項７に係る発明は、画像データを暗号化するためのパスワードを生成し、前記生成されたパスワードを用いて画像データを暗号化し、前記暗号化された画像データを送信し、前記送信された画像データを復号化するための前記生成されたパスワードを前記画像データの送信処理の実行に応じて印刷することを特徴とする。
【手続補正６】
【補正対象書類名】明細書
【補正対象項目名】００１０
【補正方法】変更
【補正の内容】
【００１０】
また、本願請求項８に係る発明は、画像データを暗号化するためのパスワードを生成し、前記生成されたパスワードを用いて画像データを暗号化し、前記暗号化された画像データを送信し、前記送信された画像データの送信履歴を生成し、前記生成された送信履歴を表示する表示画面からパスワードの確認が要求された場合に認証を行い、前記認証が成功すると、前記送信された画像データを復号化するための前記生成されたパスワードを前記表示画面に表示することを特徴とする。
【手続補正書】
【提出日】平成20年3月14日(2008.3.14)
【手続補正１】
【補正対象書類名】明細書
【補正対象項目名】０００９
【補正方法】変更
【補正の内容】
【０００９】
前記子機としては、前記住宅の内部に設置されている緊急用子機を使用することができる。緊急用子機は、例えば無線を利用したもので、その設置場所に自由度がある。緊急用子機は、病人等の要介護者の傍に設置される。従って、要介護者が緊急の用事がある場合で、住宅内に介護者等が以内場合には、複数の外部通話装置に順に電話を掛け、全ての外部通話装置と通話できるように、応答していないものを除いて呼出を行うので、緊急の用事があることを確実に介護者等に連絡することができる。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
入射した光によって発生した電荷を蓄積する光電変換部と、
前記光電変換部に蓄積された電荷を転送するための第１の転送スイッチと、
前記光電変換部に蓄積された電荷が前記第１の転送スイッチを介して流入するフローティングディフュージョン領域と、
前記光電変換部から溢れた電荷の少なくとも一部を蓄積する電荷蓄積部と、
前記電荷蓄積部に蓄積された電荷を前記フローティングディフュージョン領域に転送するための第２の転送スイッチとを有する画素を複数含み、
前記電荷蓄積部は、前記光電変換部から溢れた電荷を蓄積するための容量を有し、
前記容量は複数の誘電体膜が電極を介して積み重なった構造を有することを特徴とする固体撮像装置。
【請求項２】
入射した光によって発生した電荷を蓄積する光電変換部と、
前記光電変換部に蓄積された電荷を転送するための第１の転送スイッチと、
前記光電変換部に蓄積された電荷が前記第１の転送スイッチを介して流入するフローティングディフュージョン領域と、
前記光電変換部から溢れた電荷の少なくとも一部を蓄積する電荷蓄積部と、
前記電荷蓄積部に蓄積された電荷を前記フローティングディフュージョン領域に転送するための第２の転送スイッチとを有する画素を複数含み、
前記電荷蓄積部は、第１の導電型の半導体基板の一部と、
前記半導体基板の一部の上に形成された第１の誘電体膜と、
前記第１の誘電体膜の上に形成された第１の電極層と、
前記第１の半導体膜の上に形成された第２の誘電体膜と、
前記第２の誘電体膜の上に形成された第２の電極層とを有することを特徴とする固体撮像装置。
【請求項３】
前記第１の誘電体膜と上下方向で隣接するように前記半導体基板内に形成され、前記第１の導電型と反対の第２の導電型の不純物を含む第１の不純物拡散層と、
前記第１の不純物拡散層と横方向で隣接するように前記半導体基板内に形成され、前記第２の導電型の不純物を含む第２の不純物拡散層とを有することを特徴とする請求項２に記載の固体撮像装置。
【請求項４】
前記第１の電極層は、電源電位又はグランド電位に接続され、
前記第２の不純物拡散層と、前記第２の電極層と、前記第２の転送スイッチとが相互に接続されていることを特徴とする請求項３に記載の固体撮像装置。
【請求項５】
前記第２の転送スイッチは、前記半導体基板の一部と、
前記半導体基板の表面に形成される絶縁膜と、
前記第２の不純物拡散層と、
前記絶縁膜の下方の領域を介して前記第２の不純物拡散層と対向する位置に形成され、前記第２の導電型の不純物を含む第３の不純物拡散層と、
前記絶縁膜上に形成される電極層とを有することを特徴とする請求項４に記載の固体撮像装置。
【請求項６】
前記第１の誘電体膜の下方の領域と隣接するように、前記半導体基板内に形成され、前記第１の導電型と反対の第２の導電型の不純物を含む不純物拡散層を有することを特徴とする請求項２に記載の固体撮像装置。
【請求項７】
前記第２の転送スイッチは、前記半導体基板の一部と、
前記半導体基板の表面に形成される絶縁膜と、
前記不純物拡散層と、
前記絶縁膜の下方の領域を介して前記不純物拡散層と対向する位置に形成され、前記第２の導電型の不純物を含む第２の不純物拡散層と、
前記絶縁膜上に形成される電極層とを有することを特徴とする請求項６に記載の固体撮像装置。
【請求項８】
前記拡散層と、前記第２の電極層と、前記第２の転送スイッチとが相互に接続され、
前記第１の電極層は、電源電位又はグランド電位に接続されていることを特徴とする請求項６又は７に記載の固体撮像装置。
【請求項９】
前記第１の電極層に、電源電位をハイレベル、グランド電位をロウレベルとしたパルス信号を供給するパルス信号供給手段を有し、
前記拡散層と、前記第２の電極層と、前記第２の転送スイッチとが相互に接続され、に接続されていることを特徴とする請求項６又は７に記載の固体撮像装置。
【請求項１０】
前記光電変換部とその他の素子と間に形成されるポテンシャル障壁のうち、前記光電変換部と前記電荷蓄積部との間のポテンシャル障壁が最も低いことを特徴とする請求項１〜９の何れか１項に記載の固体撮像装置。
【請求項１１】
前記第２の電極層は、電源電位又はグランド電位に接続され、
前記第１の電極層と、前記第２の転送スイッチとが相互に接続され、
前記第２の拡散層は、グランド電位に接続されていることを特徴とする請求項３に記載の固体撮像装置。
【請求項１２】
請求項１〜１１の何れか１項に記載の固体撮像装置と、
前記固体撮像装置に光学像を結像させるためのレンズと、
前記レンズを通る光量を可変するための絞りとを有することを特徴とするカメラ。
【手続補正２】
【補正対象書類名】明細書
【補正対象項目名】０００８
【補正方法】変更
【補正の内容】
【０００８】
本発明の固体撮像装置は、入射した光によって発生した電荷を蓄積する光電変換部と、前記光電変換部に蓄積された電荷を転送するための第１の転送スイッチと、前記光電変換部に蓄積された電荷が前記第１の転送スイッチを介して流入するフローティングディフュージョン領域と、前記光電変換部から溢れた電荷の少なくとも一部を蓄積する電荷蓄積部と、前記電荷蓄積部に蓄積された電荷を前記フローティングディフュージョン領域に転送するための第２の転送スイッチとを有する画素を複数含み、前記電荷蓄積部は、前記光電変換部から溢れた電荷を蓄積するための容量を有し、前記容量は複数の誘電体膜が電極を介して積み重なった構造を有することを特徴とする。
また、本発明の他の特徴とするところは、入射した光によって発生した電荷を蓄積する光電変換部と、前記光電変換部に蓄積された電荷を転送するための第１の転送スイッチと、前記光電変換部に蓄積された電荷が前記第１の転送スイッチを介して流入するフローティングディフュージョン領域と、前記光電変換部から溢れた電荷の少なくとも一部を蓄積する電荷蓄積部と、前記電荷蓄積部に蓄積された電荷を前記フローティングディフュージョン領域に転送するための第２の転送スイッチとを有する画素を複数含み、前記電荷蓄積部は、第１の導電型の半導体基板の一部と、前記半導体基板の一部の上に形成された第１の誘電体膜と、前記第１の誘電体膜の上に形成された第１の電極層と、前記第１の半導体膜の上に形成された第２の誘電体膜と、前記第２の誘電体膜の上に形成された第２の電極層とを有することを特徴とする。
【手続補正書】
【提出日】平成20年3月6日(2008.3.6)
【手続補正１】
【補正対象書類名】特許請求の範囲
【補正対象項目名】請求項５
【補正方法】変更
【補正の内容】
【請求項５】
前記子機ケースに、この子機ケースを設置箇所に取付けるための取付ボルトの挿入孔を設け、前記挿入孔に、前面部が前記窓部と同形状のボルトカバーを着脱可能に取付け、前記子機ケースにダミーピンホールを設けたことを特徴とする請求項２乃至請求項４の何れかの一に記載のカメラ玄関子機の撮像範囲調整装置。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
画像形成性オイル剤から形成された所定の画像を備えたプラスチック材料の多孔質延伸フィルムからなり、
前記プラスチックフィルムに、そのプラスチックフィルムの空孔を少なくとも部分的に充填して該プラスチックフィルムに対して視認可能な絵柄を付与する量の画像形成性オイル剤が適用されていることを特徴とする化粧用脂取りシート。
【請求項２】
前記プラスチックフィルムにおいて、前記所定の画像と前記画像形成性オイル剤が適用されていない非画像領域との間のΔＬ*値が２．３以上であることを特徴とする請求項１に記載の化粧用脂取りシート。
【請求項３】
複数の所定の画像を備え、かつ同一もしくは異なる画像形成性オイル剤が、同一もしくは異なる量で適用されてそれぞれの画像を形成していることを特徴とする請求項１又は２に記載の化粧用脂取りシート。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ユーザの腹部に巻き付けられるベルトと、該ベルトが取り付けられ、下端が椅子の座面に着座される突っ張り部材とを備え、前記ユーザが前記椅子に着座したとき、前記突っ張り部材により前記ベルトを介して前記ユーザの腹部を持ち上げるように構成したことを特徴とする腰痛予防軽減装置。
【請求項２】
前記突っ張り部材の下端に、前記椅子の座面への着座を安定させるための突出部が設けられることを特徴とする請求項１記載の腰痛予防軽減装置。
【請求項３】
前記ベルトが、前記突っ張り部材に高さ位置調節可能に且つ着脱自在に取り付けられることを特徴とする請求項１又は２に記載の腰痛予防軽減装置。
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
蕎麦粉に冷水を加えて攪拌した後、静置して沈殿したβ澱粉を主体にする蕎麦粉を原料とする蕎麦餡。
【請求項２】
前記原料に蔗糖成分が加えてあり、ブリックス糖度計による糖度が６０〜７０度であることを特徴とする請求項１に記載の蕎麦餡。
【請求項３】
蕎麦粉に冷水を加えて攪拌した後、静置し沈殿したβ澱粉を主体にする蕎麦粉を残し、α澱粉を主体にする蕎麦粉が溶解或いは分散浮遊する上すみ液を流し去り、水および糖類を加えて練り上げ加熱することを特徴とする蕎麦餡の製造方法。
【請求項４】
前記による蕎麦粉に冷水を加えて攪拌し、上すみ液を流し去る工程を数回繰返すことを特徴とする請求項３に記載の蕎麦餡の製造方法。
【請求項５】
蕎麦粉に冷水を加えて攪拌した後、静置して沈殿したβ澱粉を主体にする蕎麦粉を原料とする蕎麦羊羹。
【手続補正２】
【補正対象書類名】明細書
【補正対象項目名】００１０
【補正方法】変更
【補正の内容】
【００１０】
本発明の蕎麦餡は、該蕎麦粉が蕎麦の内層粉であると白蕎麦餡とすることができる。
【手続補正３】
【補正対象書類名】明細書
【補正対象項目名】００１１
【補正方法】変更
【補正の内容】
【００１１】
本発明の蕎麦餡は、該蕎麦粉が蕎麦の中層粉であると赤蕎麦餡とすることができる。
【手続補正４】
【補正対象書類名】明細書
【補正対象項目名】００１２
【補正方法】変更
【補正の内容】
【００１２】
本発明の蕎麦餡は、該蕎麦粉が蕎麦の外層粉であると黒蕎麦餡とすることができる。
【手続補正５】
【補正対象書類名】明細書
【補正対象項目名】００１３
【補正方法】変更
【補正の内容】
【００１３】
また前記の目的を達成するためになされた、請求項３に記載された蕎麦餡の製造方法は、蕎麦粉に冷水を加えて攪拌した後、静置し沈殿したβ澱粉を主体にする蕎麦粉を残し、α澱粉を主体にする蕎麦粉が溶解或いは分散浮遊する上すみ液を流し去り、水および糖類を加えて練り上げ加熱することを特徴とする。
【手続補正６】
【補正対象書類名】明細書
【補正対象項目名】００１４
【補正方法】変更
【補正の内容】
【００１４】
同じく請求項４に記載された蕎麦餡の製造方法は、前記による蕎麦粉に冷水を加えて攪拌し、上すみ液を流し去る工程を数回繰返すことを特徴とする。
【手続補正７】
【補正対象書類名】明細書
【補正対象項目名】００１５
【補正方法】変更
【補正の内容】
【００１５】
前記の目的を達成するためになされた、請求項５に記載された蕎麦羊羹は、蕎麦粉に冷水を加えて攪拌した後、静置して沈殿したβ澱粉を主体にする蕎麦粉を原料としている。